【手続補正書】
【提出日】平成20年2月5日(2008.2.5)
【手続補正１】
【補正対象書類名】明細書
【補正対象項目名】発明の名称
【補正方法】変更
【補正の内容】
【発明の名称】売上解析代行システム及びプログラム
【手続補正２】
【補正対象書類名】明細書
【補正対象項目名】特許請求の範囲
【補正方法】変更
【補正の内容】
【特許請求の範囲】
【請求項１】
各店舗側に設置されている店舗端末と、各店舗端末から送信されて来た売上データを収集して売上解析を行うセンター装置とがインターネットを介してネットワーク接続されてなる売上解析代行システムであって、
前記店舗端末は、
顧客との商取引毎に入力された売上データを順次格納して複数の売上データを登録処理する売上データ登録手段と、
この売上データ登録手段によって登録された複数の売上データを読み出して前記インターネットを介して前記センター装置に送信する売上データ送信手段と有し、
前記センター装置は、
前記各店舗端末から前記インターネットを介して送信されて来た各店舗の複数の売上データを収集して売上解析を行う売上データ解析処理手段と、
この売上データ解析処理手段によって解析した解析結果を前記インターネットを介して当該各店舗側の店舗端末へ送信する解析結果送信手段とを有する売上解析代行システム。
【請求項２】
前記売上データ解析処理手段は、各店舗の複数の売上データを収集して、時間帯別、商品別等の集計種別毎に売上合計を算出し、この集計種別毎の売上合計を解析結果とする報告メッセージを作成し、
前記解析結果送信手段は、前記売上データ解析処理手段により作成された報告メッセージを前記解析結果と共に当該各店舗側の店舗端末へ送信する請求項１記載の売上解析代行システム。
【請求項３】
前記売上データ解析処理手段は、各店舗毎にその売上データを解析することによって死筋商品を求め、
この売上データ解析処理手段によって求められた死筋商品の代わりとなる売れ筋商品をアドバイスする報告メッセージを作成し、
前記解析結果送信手段は、前記売上データ解析処理手段により作成された報告メッセージを前記解析結果と共に当該店舗側の店舗端末へ送信する請求項１記載の売上解析代行システム。
【請求項４】
前記売上データ解析処理手段は、各店舗毎にその売上データを解析して死筋商品を求め、
この売上データ解析処理手段によって求められた死筋商品の代わりとなる売れ筋商品をアドバイスする場合に、その店舗が属する地域特性を考慮し、その地域内での売れ筋商品をアドバイスする報告メッセージを作成し、
前記解析結果送信手段は、前記売上データ解析処理手段により作成された報告メッセージを前記解析結果と共に当該各店舗側の店舗端末へ送信する請求項１記載の売上解析代行システム。
【請求項５】
前記売上データ解析処理手段は、各店舗毎に売上データを時間帯別に集計して売れ筋時間帯を求め、
この売上データ解析処理手段によって求められた売れ筋時間帯をアドバイスする報告メッセージを作成し、
前記解析結果送信手段は、前記売上データ解析処理手段により作成された報告メッセージを前記解析結果と共に当該各店舗側の店舗端末へ送信する請求項１記載の売上解析代行システム。
【請求項６】
前記売上データ解析処理手段は、同一地域内の各店舗から収集した商品別売上データを店舗区分毎に集計し、店舗区分毎に集計した商品別売上データの中から売れ筋商品を抽出し、
この売上データ解析処理手段によって抽出された売れ筋商品をアドバイスする報告メッセージを作成し、
前記解析結果送信手段は、前記売上データ解析処理手段により作成された報告メッセージを前記解析結果と共に当該各店舗側の店舗端末へ送信する請求項１記載の売上解析代行システム。
【請求項７】
前記売上データ解析処理手段は、複数地域の各店舗から収集した商品別売上データを地域別に集計し、地域別に集計した商品別売上データの中から売れ筋商品を抽出し、
この売上データ解析処理手段によって抽出された地域別の売れ筋商品をアドバイスする報告メッセージを作成し、
前記解析結果送信手段は、前記売上データ解析処理手段により作成された報告メッセージを前記解析結果と共に当該各店舗側の店舗端末へ送信する請求項１記載の売上解析代行システム。
【請求項８】
前記売上データ解析処理手段は、予め用意されている各種の売上解析メニューの中から店舗側において任意の売上解析が選択指定された場合には、選択指定された売上解析の種類を判別して指定された種類の当該売上解析を実行する請求項１記載の売上解析代行システム。
【請求項９】
各店舗側に設置されている店舗端末にインターネットを介してネットワーク接続されてなるセンター装置に備えられるコンピュータを、
顧客との商取引毎に入力された売上データを順次格納して複数の売上データを登録処理すると共に、登録された複数の売上データを読み出して前記インターネットを介して前記センター装置に送信する前記店舗端末から前記インターネットを介して送信されて来た各店舗の複数の売上データを収集して売上解析を行う売上データ解析処理手段、
この売上データ解析処理手段によって解析した解析結果を前記インターネットを介して当該各店舗側の店舗端末へ送信する解析結果送信手段、
として機能させるためのプログラム。
【手続補正３】
【補正対象書類名】明細書
【補正対象項目名】０００１
【補正方法】変更
【補正の内容】
【０００１】
【発明の属する技術分野】
この発明は、各店舗側に設置されている店舗端末と、各店舗端末から送信されて来た売上データを収集して売上解析を行うセンター装置とがインターネットを介してネットワーク接続されてなる売上解析代行システム及びプログラムに関する。
【手続補正４】
【補正対象書類名】明細書
【補正対象項目名】０００４
【補正方法】変更
【補正の内容】
【０００４】
この発明の手段は、次の通りである。
請求項１記載の発明は、各店舗側に設置されている店舗端末と、各店舗端末から送信されて来た売上データを収集して売上解析を行うセンター装置とがインターネットを介してネットワーク接続されてなる売上解析代行システムであって、前記店舗端末は、顧客との商取引毎に入力された売上データを順次格納して複数の売上データを登録処理する売上データ登録手段と、この売上データ登録手段によって登録された複数の売上データを読み出して前記インターネットを介して前記センター装置に送信する売上データ送信手段と有し、前記センター装置は、前記各店舗端末から前記インターネットを介して送信されて来た各店舗の複数の売上データを収集して売上解析を行う売上データ解析処理手段と、この売上データ解析処理手段によって解析した解析結果を前記インターネットを介して当該各店舗側の店舗端末へ送信する解析結果送信手段とを有する。
【手続補正５】
【補正対象書類名】明細書
【補正対象項目名】０００５
【補正方法】変更
【補正の内容】
【０００５】
なお、この発明は次のようなものであってもよい。
前記売上データ解析処理手段は、各店舗の複数の売上データを収集して、時間帯別、商品別等の集計種別毎に売上合計を算出し、この集計種別毎の売上合計を解析結果とする報告メッセージを作成し、前記解析結果送信手段は、前記売上データ解析処理手段により作成された報告メッセージを前記解析結果と共に当該各店舗側の店舗端末へ送信する（請求項２記載の発明）。
【手続補正６】
【補正対象書類名】明細書
【補正対象項目名】０００６
【補正方法】変更
【補正の内容】
【０００６】
前記売上データ解析処理手段は、各店舗毎にその売上データを解析することによって死筋商品を求め、この売上データ解析処理手段によって求められた死筋商品の代わりとなる売れ筋商品をアドバイスする報告メッセージを作成し、前記解析結果送信手段は、前記売上データ解析処理手段により作成された報告メッセージを前記解析結果と共に当該店舗側の店舗端末へ送信する（請求項３記載の発明）。
前記売上データ解析処理手段は、各店舗毎にその売上データを解析して死筋商品を求め、この売上データ解析処理手段によって求められた死筋商品の代わりとなる売れ筋商品をアドバイスする場合に、その店舗が属する地域特性を考慮し、その地域内での売れ筋商品をアドバイスする報告メッセージを作成し、前記解析結果送信手段は、前記売上データ解析処理手段により作成された報告メッセージを前記解析結果と共に当該各店舗側の店舗端末へ送信する（請求項４記載の発明）。
前記売上データ解析処理手段は、各店舗毎に売上データを時間帯別に集計して売れ筋時間帯を求め、この売上データ解析処理手段によって求められた売れ筋時間帯をアドバイスする報告メッセージを作成し、前記解析結果送信手段は、前記売上データ解析処理手段により作成された報告メッセージを前記解析結果と共に当該各店舗側の店舗端末へ送信する（請求項５記載の発明）。
【手続補正７】
【補正対象書類名】明細書
【補正対象項目名】０００７
【補正方法】変更
【補正の内容】
【０００７】
前記売上データ解析処理手段は、同一地域内の各店舗から収集した商品別売上データを店舗区分毎に集計し、店舗区分毎に集計した商品別売上データの中から売れ筋商品を抽出し、この売上データ解析処理手段によって抽出された売れ筋商品をアドバイスする報告メッセージを作成し、前記解析結果送信手段は、前記売上データ解析処理手段により作成された報告メッセージを前記解析結果と共に当該各店舗側の店舗端末へ送信する（請求項６記載の発明）。
前記売上データ解析処理手段は、複数地域の各店舗から収集した商品別売上データを地域別に集計し、地域別に集計した商品別売上データの中から売れ筋商品を抽出し、
この売上データ解析処理手段によって抽出された地域別の売れ筋商品をアドバイスする報告メッセージを作成し、前記解析結果送信手段は、前記売上データ解析処理手段により作成された報告メッセージを前記解析結果と共に当該各店舗側の店舗端末へ送信する（請求項７記載の発明）。
【手続補正８】
【補正対象書類名】明細書
【補正対象項目名】０００８
【補正方法】変更
【補正の内容】
【０００８】
前記売上データ解析処理手段は、予め用意されている各種の売上解析メニューの中から店舗側において任意の売上解析が選択指定された場合には、選択指定された売上解析の種類を判別して指定された種類の当該売上解析を実行する（請求項８記載の発明）。
【手続補正９】
【補正対象書類名】明細書
【補正対象項目名】０００９
【補正方法】変更
【補正の内容】
【０００９】
他の発明は、各店舗側に設置されている店舗端末にインターネットを介してネットワーク接続されてなるセンター装置に備えられるコンピュータを、上述した請求項１記載の発明に示した主要手段として機能させるためのプログラムを提供するものである（請求項９記載の発明）。